(57)【要約】【課題】  顔料インクの沈降を抑制して、高品位の記録を行えるインクジェット記録装置に使用されるインクジェット記録ヘッドカートリッジの提供。【解決手段】  インクタンク一体型記録ヘッドはフィルタによって記録液体吸収部材を収納する部分と、記録ヘッドに連通する共通液室部分とに分割されており、前記記録ヘッドのインク吐出口面を鉛直下向きにした時に、前記記録液体吸収部材を収納する部分のフィルタの上方と、前記共通液室部分の記録ヘッドの上方かつフィルタの下方に、それぞれ重力方向を遮るように記録液体遮蔽板が設けられている。【選択図】        図１（ａ）
2007044951.tif 000002
【特許請求の範囲】
【請求項１】
記録ヘッドと記録ヘッドへと向かう記録液体が貯留される容器とが一体となっているインクジェット記録ヘッドカートリッジにおいて、
前記容器はフィルタによって記録液体吸収部材を収納する部分と、記録ヘッドに連通する共通液室部分とに分割されており、前記記録ヘッドのインク吐出口面を鉛直下向きにした時に、
前記記録液体吸収部材を収納する部分のフィルタの上方と、
前記共通液室部分の記録ヘッドの上方かつフィルタの下方に、それぞれ重力方向を遮るように記録液体遮蔽板が設けられていることを特徴とするインクジェット記録ヘッドカートリッジ。
【請求項２】
前記記録液体遮蔽板のうち少なくとも前記共通液室部分に設けられた記録液体遮蔽板の両表面は、平滑平面ではないことを特徴とする請求項１に記載のインクジェット記録ヘッドカートリッジ。
【請求項３】
前記記録液体遮蔽板のうち少なくとも前記共通液室部分に設けられた記録液体遮蔽板の端部は、他の部分よりも厚みの大きいことを特徴とする請求項１に記載のインクジェット記録ヘッドカートリッジ。
【請求項４】
前記記録液体遮蔽板を構成する遮蔽部材は、前記容器を構成する筐体の一部であることを特徴とする請求項１に記載のインクジェット記録ヘッドカートリッジ。
【請求項５】
前記記録液体遮蔽面は、複数の遮蔽面からなることを特徴とする請求項１に記載のインクジェット記録ヘッドカートリッジ。
【請求項６】
前記複数の遮蔽面は、同一平面上になく、隣り合う２つの遮蔽面にそれぞれ形成された連通部は重力方向からみて上下方向で重ならない位置に設けられていることを特徴とする請求項１に記載のインクジェット記録ヘッドカートリッジ。
【請求項７】
前記記録液体は、着色剤に顔料を用いているインクであることを特徴とする請求項１に記載のインクジェット記録ヘッドカートリッジ。
【発明の詳細な説明】
【技術分野】
【０００１】
本発明は、インクジェットプリンタなどに用いられるインクジェットヘッドと、このヘッドに対して供給されるインクを貯留する吸収体を内蔵したインクタンクとが一体になったインクジェット記録ヘッドカートリッジに関し、特にインクとして顔料インクを良好に使用することを可能にする改善されたインクジェット記録ヘッドカートリッジに関する。
【背景技術】
【０００２】
インクジェットヘッドにインクを供給するインクタンクは、インクジェットヘッドのインク吐出特性上必要な供給圧力を発生するために、インクタンク内に内蔵されたインクを保持する部材のインク保持力を利用する構成と、インクタンク液面位置とインクジェットヘッドに設けられた吐出口位置との水頭差により発生する圧力を供給チューブを介して供給圧力として利用する場合とがある。
【０００３】
近年のパソコンの普及により、プリンタも広く普及している。このようなプリンタに対してはサイズの小型化が求められており、多くのプリンタは前者のインク保持部材の保持力を利用したインクタンクを採用している。ここで、このようなインクタンクに用いられているインク保持部材としては、コストやインク接液性の観点より、多くは発泡ポリウレタンやＰＰ繊維を用いており、これらの材料中に無数に設けられた微細穴や微小隙間により発生する毛細管力が保持力を発生する。そして、このように構成されるインク保持部材に充填されるインクは、発色性や吐出安定性及び長期不使用の場合発生する吐出口近傍の乾燥固着対策等の観点から、染料インクが使われてきた。
【０００４】
ところで、近年、インクジェットによる印字物に対してＬＢＰ並みの印字濃度や発色性あるいは耐侯性の向上が要求されてきている。その中でも、特にブラックインクは普通紙に文字を記録したときの光学濃度（ＯＤ：Ｏｐｔｉｃａｌ  Ｄｅｎｓｉｔｙ）の向上が望まれている。
【０００５】
従来の着色剤として染料を使用したインクは染料の特性から光学濃度の向上は難しく、耐水性や耐光性についても十分なインクを提供するには至っていなかった。そこで、染料インクによる上述の課題を解決するために、記録媒体にインク受容層を設けた専用紙（コート紙）を使用することが提案されているが、一般的に普通紙よりも価格が高いため、低価格な普通紙での高画質化が求められていた。
【０００６】
また、インク処理剤をインクと同時に吐出する手段をとることで紙面上でのインク濃度を向上させて高画質を達成させる方法もあるが、記録装置自体が大型化し、処理剤のコストが余計にかかるなど、特殊な用途に限られていた。
【０００７】
そこで、現在ではインクの着色剤に顔料を用いることが提案されている。インクの着色剤として使用される顔料は、その特性により光学濃度を向上させることが比較的容易であり、また耐水性についても染料に比べて高いため、文章などの出力を主体とする記録装置においてはブテックインクに顔料を採用する場合が増えている。
【０００８】
また、最近では、カラーインクも、記録物の耐侯性向上のために、染料インクから顔料インクヘ移行する動きもでてきている。
【特許文献１】特開２００１−０３０５１３号公報
【特許文献２】特開２００１−２６０３３７号公報
【特許文献３】特開２００１−２６０３７８号公報
【特許文献４】特許第３３８４３８１号公報
【発明の開示】
【発明が解決しようとする課題】
【０００９】
しかし、顔料インクの場合、以下に記載するような課題が存在する。
【００１０】
インクタンク内に収容されたインクが顔料である色材とこれを分散させる液媒体とを含有するインクである場合には、インクタンクが長期間同一姿勢で静置されると、顔料は染料等に比べ分子量が大きいため、色材が重力の影響を受けて沈降し、インクタンク内の色材濃度が不均一になる現象が生じる。ここで、沈降とは微細な粒子が重力の作用によって沈む現象であり、その度合いは、粒子同士の凝集が基本的に起こらない場合、下記に示すｓｔｏｋｅｓの式により与えられる重力方向への沈降速度、及びブラウン運動の関係によって決まる。
【００１１】
−Ｓｔｏｋｅｓの式−
Ｖｓ＝２ａ（ρ−ρｏ）ｇ／９η‥‥‥（１）
Ｖｓ：沈降速度
ａ：粒子半径
ρ：粒子密度
ρｏ：溶媒密度
ｇ：重力加速度
η：溶媒粘度
【００１２】
−ブラウン運動−
Ｘ＝（ＲＴｔ／３πＮＡρａ）‥・‥・（２）
Ｘ：時間ｔで動く粒子の平均距離
Ｒ：気体定数
Ｔ：絶対温度
ＮＡ：アボガドロ数
η：溶媒粘度
ａ：粒子半径
【００１３】
上記の２つの式の関係において、粒子の沈降速度がブラウン運動による拡散よりも支配的な場合に、粒子の沈降が生じる。
【００１４】
また、インクタンク内の空間を大気中に連通させるための大気連通口がインクタンクに設けられている場合には、インク蒸発成分がこの大気連通口を通して蒸発するため、これによってもインクタンク内の色材濃度が経時的に濃縮され不均一になる。特に、インクタンクのインク供給口が設けられている面に対向する面以外の面に大気連通口が設けられている場合には、色材の沈降とインク成分の蒸発によるインク供給口近傍の色材濃度の上昇がより顕著に現れる。
【００１５】
このような顔料の沈降現象は、顔料インクを吸収体などに含浸させない場合だけでなく、発泡ポリウレタンやＰＰ繊維等の吸収体を収納したインクタンクの場合、吸収体の保持力が色材の分散抑制力を発生させるため、長期間同一方向に放置され、一度濃度勾配が生じた場合には、色材を直ちに再拡散させることができない。すなわち、例えば、インクジェット記録装置にインクタンクが長期にわたって搭載されたまま、使用されない状態が継続した場合、顔料が沈降し、重力方向下方の底面に設けられたインク導出部付近は顔料濃度の高いインクが集中し、重力方向上方部分は顔料濃度の低い状態となってしまう。この状態で記録を行うと、記録ヘッドはインク消費の初期には濃度の高いインクを吐出することとなり、インク消費の後半は濃度の低いインクを吐出することとなる。
【００１６】
図１１は、プリンタ内で印字可能な姿勢で長期にわたり放置された結果、不均一になってしまった顔料濃度分布を模式的に示した図である。
【００１７】
ここでは濃度分布を簡易的にＫ、Ｌ、Ｍ、Ｎの４段階で投階的に表現しているが、実際は濃度分布は連続的なものである。本発明者の知見によれば、インク中の初期の顔料濃度が４％のとき、印字しないで重力方向で静置された場合、すなわちインクタンク内でのインク流動がない場合、インク中での顔料濃度は、
【００１８】
【表１】
2007044951.tif 000003
【００１９】
といった濃度分布が発生した。
【００２０】
この状態で印字を行うと、初期印字においてはＮ部のインクを使用するため非常に濃い印字となってしまう。また、インクタンクの使用インク後半においては、Ｋ部のインクを使用するため非常に薄い印字になってしまう。また、初期のＮ部のインクを用いてｄｕｔｙの非常に低い印字を行った後にまた長期印字を行わない場合、非常に濃い顔料インクが吐出口近傍に充填されるため吐出口での固着が促進されプリンタに装着された回復機構では回復不能になってしまった。この２つの現象は、近年の印字濃度要求に対し解決すべき大きな課題である。
【００２１】
また、インクタンクは、単独で物流されるものであり、物流姿勢や店頭での販売姿勢において長期間同じ姿勢で放置された場合には同様に濃度分布を生じることになり、特に重力方向とインク吐出方向が同じ方向で静置され続けた場合には、購入直後の使用において上述したような現象が発生することになる。例えば、物流姿勢や店頭での販売姿勢において重力方向とインク吐出方向とが一致しないように横置きもしくは一定時間ごとに姿勢を変更するなどの規制を付与することで対応することも可能であるが、そのような操作を販売員に強制することは現実的ではない。
【００２２】
このような吸収体を内蔵したインクタンクにおける顔料インクの沈降の問題に対してなされた対策の例として、例えば、特許文献１があげられる。この件は、インクタンクとヘッドとを連結するインク経路中に複数の突起を配置し、インクタンクから供給されたインクを撹拌しながらヘッドに至らしめインク濃度の均一化を図ろうとするものである。インクタンク内部におけるインク濃度差の分布が大きくない場合には有効に作用するが、長期保存や、長期未使用になどによってインクタンク内部においてインクの濃度差が発生してしまった状況では十分な対策とはいえない。
【００２３】
また、特許文献２、特許文献３、特許文献４は、インクタンクの供給口近傍に沈降する顔料インクの供給を制御する構成を配置する技術を開示する。特に特許文献３にはインク供給口近傍において、仕切り壁をインクタンクの右半分と左半分と交互に配置して顔料インクの色材の沈降を防ぐ構成が開示されている。この構成によって、顔料の沈降の空間を小さくして、濃度変化の状態を少なくするとともに、仕切り壁によってインクが迂回しながら流動して供給されるため、インクの撹拌供給がなされて濃度の均一化効果が得られる点が開示されている。
【００２４】
しかし、仕切り壁をインクタンクの右半分と左半分と交互に配置しても、仕切り壁はインクタンクの半分しかないので、仕切り壁のないインクタンクの半分の領域は仕切り壁の効果を享受できていない。また、インク供給に伴うインク流動による撹拌効果も開口部分がインクタンクの半分と大きいために開口領域のインクに対して撹拌効果が十分に享受されない場合がある。
【００２５】
そこで本発明は、上記従来技術の有する改善すべき課題点に鑑み、顔料インクの沈降を抑制して、高品位の記録を行えるインクジェット記録装置に使用されるインクタンク一体型記録ヘッドに係るインクジェット記録ヘッドカートリッジを提供することを目的とする。
【課題を解決するための手段】
【００２６】
上記目的を達成するための本発明は、記録ヘッドと記録ヘッドへと向かう顔料インクが貯留されるインクタンクとが一体となっているインクジェット記録ヘッドカートリッジにおいて、インクタンクはフィルタによってインク吸収部材を有する部分と、記録ヘッドに連通する共通液室とに分割されており、記録ヘッドのインク吐出口面を鉛直下向きにした時に、フィルタの上方および記録ヘッドの上方に重力方向を遮るようにインク遮蔽部が張り出している構成とする。このような構成によれば、
記録液体吸収部材を収納する記録液体吸収部材収納室がインク非透過部あるいは遮蔽面によって複数に分割されているため、インクタンク内に配置された負庄発生部材の高さをインク非透過部あるいは遮蔽面によって分割されていない場合に比べて小さくできる。これにより、顔料を含有するインクが記録液体吸収部材に含浸保持されている場合において、長期間の放置などにより顔料が沈降しても、その上下濃度差を小さくすることができる。
【００２７】
また、本発明のインクタンクは、インク非透過部あるいは遮蔽面を複数は位置した構成に関して、隣り合う各インク非透過部あるいは遮蔽面によって構成された連通部が、インク供給方向あるいは重力方向と交差する平面上への投影が重ならない位置に形成されていることがより好ましい。この場合、例えば、２つのインク非透過部あるいは遮蔽面によって記録液体吸収部材収納室が上下方向に３分割されているとすると、中間の記録液体吸収部材収納室と一番下の記録液体吸収部材収納室とを連通する連通部では、中間の記録液体吸収部材収納室内の記録液体吸収部材の水頭のみがかかり、一番上の記録液体吸収部材収納室内の記録液体吸収部材の水頭がかからないようにすることができるため、この分この連通部における濃度差を小さくすることができる。
【００２８】
さらに、インク非透過部あるいは遮蔽面は、インク供給方向あるいは重力方向に対して直交する構成であってもよく、また所定の角度を有した傾斜した構成であってもよい。
【００２９】
すなわち、本発明の技術内容は以下の構成を備えることにより前記課題を解決できた。
【００３０】
（１）記録ヘッドと記録ヘッドへと向かう記録液体が貯留される容器とが一体となっているインクジェット記録ヘッドカートリッジにおいて、前記容器はフィルタによって記録液体吸収部材を収納する部分と、記録ヘッドに連通する共通液室部分とに分割されており、前記記録ヘッドのインク吐出口面を鉛直下向きにした時に、前記記録液体吸収部材を収納する部分のフィルタの上方と、前記共通液室部分の記録ヘッドの上方かつフィルタの下方に、それぞれ重力方向を遮るように記録液体遮蔽板が設けられていることを特徴とするインクジェット記録ヘッドカートリッジ。
【発明の効果】
【００３１】
本発明によれば、インク供給方向あるいは重力方向と交差するインク遮蔽部によって、記録液体吸収部材収納室および共通液室を分割することで各記録液体吸収部材の高さを小さくしているため、本発明のインクジェット記録ヘッドカートリッジは長期間放置した後にインクジェット記録装置による記録に用いたとしても顔料の沈降が抑制されているので、フィルタおよび記録ヘッドに顔料沈降物が堆積して目詰まりを起こすようなことが無い。
【００３２】
また、インクを使用しても、使い始めと使い終わりで顔料濃度差の小さい高品位な記録が可能となる。インクジェットヘッドに顔料インクを供給するインクタンクにおいて、インクタンク内部が、インク保持部材とインク透過性を持たない面で構成され、インク透過性を持たない面は、インク保持部材中に存在し重力方向に対して遮蔽するように、少なくとも１面以上配置されることで、インクタンク単体での物流パッケージ及びインクジェットヘッド付きインクタンク物流パッケージが重力方向とインク供給方向が一致した状態で物流保存・放置されても、プリンタ搭載印字を行ないインク使用することで初期の一定の顔料濃度に復帰可能なインクタンクを提供することを可能とした。よって、インクタンク使い始めと使い切りの印字画像濃度ムラは非常に小さく抑えることが可能となる。
【００３３】
また、プリンタ搭載状態での長期未使用放置を行っても、インク吐出口に濃い顔料濃度のインクが充填されないため吐出口固着を抑制可能となる。そして、インクジェットヘッド付きインクタンク物流パッケージを可能とする。
【００３４】
また、インク透過性を持たない面は、あらかじめインクタンク筐体で構成することができ、この場合部品点数は従来のインクタンクと同様のためコストアップもほとんどない。
【００３５】
さらに、インク透過性を持たない面が２面以上配置され、インク透過性を持たない面が、インク保持部材中で重力方向に対して位相がずれて配置されることで、長期放置後に濃度変化してしまった顔料インクを初期の一定の顔料濃度への復帰をより効果的に行うことが可能となる。
【発明を実施するための最良の形態】
【００３６】
以下に、本発明の実施の形態について図面を参照して説明する。
【実施例】
【００３７】
図３から図１０は、本発明が実施または適用される好適な記録ヘッドを説明するための説明図である。以下、これらの図面を参照して各構成要素について説明する。
【００３８】
本発明の記録ヘッドは図３及び図６に示すようにインクタンク一体構成となっており、図３中の第１の記録ヘッドＨ１０００はブラックインクを、図６中の第２の記録ヘッドＨ１００１はカラーインク（シアンインク、マゼンタインク、イエローインク）をそれぞれ搭載している。これら記録ヘッドＨ１０００及びＨ１００１は、インクジェット記録装置本体に載置されているキャリッジの位置決め手段および電気的接点によって固定支持されるとともに、キャリッジに対して着脱可能となっており、搭載したインクが消費されるとそれぞれ交換される。
【００３９】
次にこれら記録ヘッドに関して、さらに詳しく記録ヘッドを構成しているそれぞれの構成要素毎に順を追って説明する。
【００４０】
（１）記録ヘッド
本実施例における第１の記録ヘッドＨ１０００及び第２の記録ヘッドＨ１００１は、電気信号に応じて膜沸騰をインクに対して生じせしめるための熱エネルギを生成する電気熱変換体を用いたバブルジェット（登録商標）方式の記録ヘッドであり、電気熱変換体とインク吐出口とが対向するように配置された、いわゆるサイドシュータ型の記録ヘッドである。
【００４１】
（１−１）第１の記録ヘッド
第１の記録ヘッドＨ１０００はブラックインク用として使用されるもので、図４の分解斜視図に示すように、記録素子基板Ｈ１１００、電気配線テープＨ１３００、インク供給保持部材Ｈ１５００、フィルタＨ１７００、インク吸収体Ｈ１６００、蓋部材Ｈ１９００、およびシール部材Ｈ１８００から構成されている。
【００４２】
（１−１−１）第１の記録素子基板
図５は第１の記録素子基板Ｈ１１００の構成を説明するために一部破断して示す斜視図である。
【００４３】
第１の記録素子基板Ｈ１１００は、例えば、厚さ０．５〜１ｍｍのＳｉ基板Ｈ１１１０にインク流路である長溝状の貫通口のインク供給口Ｈ１１０２がＳｉの結晶方位を利用した異方性エッチングやサンドブラストなどの方法で形成されている。
【００４４】
インク供給口Ｈ１１０２を挟んだ両側には、電気熱変換素子Ｈ１１０３がそれぞれ１列ずつ並べて配置されて形成されており、さらに電気熱変換素子Ｈ１１０３に電力を供給するＡｌなどからなる不図示の電気配線が形成されている。これら電気熱変換素子Ｈ１１０３と電気配線とは成膜技術により形成されている。電気熱変換素子Ｈ１１０３は、各列千鳥状に配列されて、すなわち各列の吐出口の位置が、その並び列方向に直交する方向に並ばないように少しずれて配置されている。
【００４５】
さらに、この電気配線に電力を供給したり、電気熱変換素子Ｈ１１０３を駆動するための電気信号を供給したりするための電極部Ｈ１１０４が電気熱変換素子Ｈ１１０３の両外側の側辺に沿って配列して形成されており、電極部Ｈ１１０４上にはＡｕなどからなるバンプＨ１１０５が形成されている。
【００４６】
上記いずれの形態においても、Ｓｉ基板Ｈ１１１０上のこれらパターンが形成された面上には、電気熱変換素子Ｈ１１０３に対応したインク流路を形成するインク流路壁Ｈ１１０６とその上方を覆う天上部とを有し、天井部に吐出口Ｈ１１０７が開口された、樹脂材料からなる構造体がフォトリソ技術によって形成されている。吐出口１１０７は、電気熱変換素子Ｈ１１０３に対向して設けられており、吐出口群Ｈ１１０８を形成している。この第１の記録素子Ｈ１１００において、インク流路Ｈ１１０２から供給されたインクは各電気熱変換素子Ｈ１１０３の発熱によって発生した気泡の圧力によって、各電気熱変換素子Ｈ１１０３に対向する吐出口１１０７から吐出される。
【００４７】
（１−１−２）電気配線テープ
電気配線テープＨ１３００は、第１の記録素子基板Ｈ１１００に対してインクを吐出するための電気信号を印加する電気信号経路を形成するものであり、ポリイミドのベース基材上に銅箔の配線パターンを形成することで構成されている。また、記録素子基板を組み込むための開口部Ｈ１３０３が形成されており、この開口部の縁付近には、記録素子基板の電極部Ｈ１１０４に接続される電極端子Ｈ１３０４が形成されている。さらに、電気配線テープＨ１３００には、本体装置からの電気信号を受け取るための外部信号入力端子Ｈ１３０２も形成されており、電極端子Ｈ１３０４と外部信号入力端子Ｈ１３０２が連続した銅箔の配線パターンでつながれている。
【００４８】
電気配線テープＨ１３００と第１の記録素子基板１１００の電気的接続は、例えば、第１の記録素子基板Ｈ１１００の電極部Ｈ１１０４に形成されたバンプＨ１１０５と、第１の記録素子基板Ｈ１１００の電極部Ｈ１１０４に対応する電気配線テープＨ１３００の電極端子Ｈ１３０４とが熱超音波圧着法により電気接合されることでなされている。
【００４９】
（１−１−３）インク供給保持部材
インク供給保持部材Ｈ１５００は、例えば、樹脂成形により形成されている。樹脂材料には、形状的剛性を向上させるためにガラスフィラーを５〜４０％混入した樹脂材料を使用することが望ましい。図４に示すように、インク供給保持部材Ｈ１５００は、内部にインクを保持し負圧を発生するための吸収体Ｈ１６００を有することでインクタンクの機能と、記録素子基板Ｈ１１００にそのインクを導くためのインク流路を形成することでインク供給の機能とを備えている。インク吸収体Ｈ１６００としては、ＰＰ繊維を圧縮したものが使われているが、ウレタン繊維を圧縮したものでもよい。インク流路の上流部であるインク吸収体Ｈ１６００との境界部には、記録素子基板Ｈ１１００内部にゴミの進入を防ぐためのフィルタＨ１７００が溶着により接合されている。フィルタＨ１７００は、ＳＵＳ金属メッシュタイプでも良いが、ＳＵＳ金属繊維焼結タイプのほうが好ましい。
【００５０】
インク流路の下流部には、第１の記録素子基板Ｈ１１００にブラックのインクを供給するためのインク供給口Ｈ１２００が形成されており、第１の記録素子基板Ｈ１１００のインク供給口１１０２がインク供給保持部材Ｈ１５００のインク供給口Ｈ１２００に連通するよう、第１の記録素子基板Ｈ１１００がインク供給保持部材Ｈ１５００に対して位置精度良く接着固定される。この接着に用いられる第１の接着剤は、低粘度で硬化温度が低く、短時間で硬化し、硬化後比較的高い硬度を有し、かつ、耐インク性のあるものが望ましい。例えば、第１の接着剤としては、エポキシ樹脂を主成分とした熱硬化接着剤が用いられ、その際の接着層の厚みは５０μｍ程度が望ましい。
【００５１】
また、第１の記録素子基板Ｈ１１００の接着面周囲の平面には、電気配線テープＨ１３００の一部の裏面が第２の接着剤により接着固定される。第１の記録素子基板Ｈ１１００と電気配線テープＨ１３００との電気接続部分は、第１の封止剤Ｈ１３０７および第２の封止剤Ｈ１３０８（図９参照）により封止され、電気接続部分をインクによる腐食や外的衝撃から保護されている。第１の封止剤Ｈ１３０７は、主に電気配線テープＨ１３００の電極端子Ｈ１３０２と記録素子基板のバンプＨ１１０５との接続部の裏面側と記録素子基板の外周部分を封止し、第２の封止剤Ｈ１３０８は、上述の接続部の表側を封止している。そして、電気配線テープＨ１３００の未接着部は折り曲げられ、インク供給保持部材Ｈ１５００の第１の記録素子基板Ｈ１１００の接着面にほぼ垂直な側面に熱カシメもしくは接着等で固定される。
【００５２】
（１−１−４）蓋部材
蓋部材Ｈ１９００は、インク供給保持部材Ｈ１５００の上部開口部に溶着されることで、インク供給保持部材Ｈ１５００内部を密閉するものである。但し、蓋部材Ｈ１９００にはインク供給保持部材Ｈ１５００内部の圧力変動を逃がすための細口Ｈ１９１０とそれに連通した微細溝Ｈ１９２０を有しており、細口Ｈ１９１０と微細溝Ｈ１９２０のほとんどをシール部材Ｈ１８００で覆い微細溝Ｈ１９２０の一端部を開口することで大気連通口Ｈ１９２４を形成している。また、第１の記録ヘッドをインクジェット記録装置に固定するための係合部Ｈ１９３０を有している。
【００５３】
（１−２）第２の記録ヘッド
第２の記録ヘッドＨ１００１はシアン、マゼンタ、イエローの３色のインクを吐出させるためのもので、図７の分解斜視図に示すように、記録素子基板Ｈ１１０１、電気配線テープＨ１３０１、インク供給保持部材Ｈ１５０１、フィルタＨ１７０１、Ｈ１７０２、Ｈ１７０３、インク吸収体Ｈ１６０１、Ｈ１６０２、Ｈ１６０３、蓋部材Ｈ１９０１、およびシール部材Ｈ１８０１から構成されている。
【００５４】
（１−２−１）第２の記録素子基板
図８は第２の記録素子基板Ｈ１１０１の構成を説明するために一部破断して示す斜視図であり、シアン、マゼンタ、イエロー用の３個のインク供給口Ｈ１１０２が並列して形成されている点が第１の記録素子基板Ｈ１１００と大きく異なる。それぞれのインク供給口Ｈ１１０２を挟んでその両側に電気熱変換素子Ｈ１１０３と吐出口Ｈ１１０７とが一列に並んで千鳥状に配置されて形成されている。
【００５５】
Ｓｉ基板Ｈ１１０１上には、第１の記録素子基板Ｈ１１００におけるＳｉ基板Ｈ１１１０同様に、電気配線、ヒューズもしくは抵抗等、電極部Ｈ１１０４などが形成されており、その上に樹脂材料でフォトリソグラフィ技術によってインク流路壁Ｈ１１０６や吐出口Ｈ１１０７が形成されており、電気配線に電力を供給するための電極部Ｈ１１０４にはＡｕ等のバンプＨ１１０５が形成されている。
【００５６】
（１−２−２）電気配線テープ
電気配線テープＨ１３０１は、ポリイミドのベース基材上に銅箔の配線パターンを形成することで構成されており、第２の記録素子基板Ｈ１１０１に対してインクを吐出するための電気信号を印加する電気信号経路を形成するものであり、記録素子基板を組み込むための開口部が形成されており、この開口部の縁付近には、記録素子基板の電極部Ｈ１１０４に接続される電極端子Ｈ１３０４が形成されている。また、電気配線テープＨ１３０１には、本体装置からの電気信号を受け取るための外部信号入力端子Ｈ１３０２が形成されており、電極端子Ｈ１３０４と外部信号入力端子Ｈ１３０２は連続した銅箔の配線パターンでつながれている。
【００５７】
電気配線テープＨ１３０１と第２の記録素子基板１１０１の電気的接続は、例えば、第２の記録素子基板Ｈ１１０１の電極部Ｈ１１０４に形成されたバンプＨ１１０５と、第２の記録素子基板Ｈ１１０１の電極部Ｈ１１０４に対応する電気配線テープＨ１３０１の電極端子Ｈ１３０４とが熱超音波圧着法により電気接合されることでなされている。
【００５８】
（１−２−３）インク供給保持部材
インク供給保持部材Ｈ１５０１は、例えば、樹脂成形により形成されている。樹脂材料には、形状的剛性を向上させるためにガラスフィラーを５〜４０％混入した樹脂材料を使用することが望ましい。図７に示すように、インク供給保持部材Ｈ１５０１は、内部にシアン、マゼンタ、イエローのインクを保持するための負圧を発生するための吸収体Ｈ１６０１、Ｈ１６０２、Ｈ１６０３をそれぞれ独立して保持するための空間を有することでインクタンクの機能と、記録素子基板Ｈ１１００の各インク供給口Ｈ１１０２にそれぞれインクを導くための独立したインク流路を形成することでインク供給機能とを備えている。インク吸収体Ｈ１６０１、Ｈ１６０２、Ｈ１６０３は、ＰＰ繊維を圧縮したものが使われているが、ウレタン繊維を圧縮したものでも良い。
【００５９】
各インク流路の上流部のインク吸収体Ｈ１６０１、Ｈ１６０２、Ｈ１６０３との境界部には、記録素子基板Ｈ１１０１内部にゴミの進入を防ぐためのフィルタＨ１７０１、Ｈ１７０２、Ｈ１７０３がそれぞれ溶着により接合されている。各フィルタＨ１７０１、Ｈ１７０２、Ｈ１７０３は、ＳＵＳ金属メッシュタイプでも良いが、ＳＵＳ金属繊維焼結タイプのほうが好ましい。
【００６０】
インク流路の下流部には、第２の記録素子基板Ｈ１１０１にシアン、マゼンタ、イエローの各インクを供給するためのインク供給口Ｈ１２０１が形成されており、第２の記録素子基板Ｈ１１０１の各インク供給口１１０２がインク供給保持部材Ｈ１５０１の各インク供給口Ｈ１２０１に連通するよう、第２の記録素子基板Ｈ１１０１がインク供給保持部材Ｈ１５０１に対して位置精度良く接着固定される。この接着に用いられる第１の接着剤は、低粘度で硬化温度が低く、短時間で硬化し、硬化後比較的高い硬度を有し、かつ、耐インク性のあるものが望ましい。例えば、第１の接着剤としては、エポキシ樹脂を主成分とした熱硬化接着剤が用いられ、その際の接着層の厚みは５０μｍ程度が望ましい。
【００６１】
また、インク供給口Ｈ１２０１付近周囲の平面には、電気配線テープＨ１３０１の一部の裏面が第２の接着剤により接着固定される。第２の記録素子基板Ｈ１１０１と電気配線テープＨ１３０１との電気接続部分は、第１の封止剤Ｈ１３０７および第２の封止剤Ｈ１３０８（図９参照）により封止され、電気接続部分をインクによる腐食や外的衝撃から保護されている。第１の封止剤Ｈ１３０７は、主に電気配線テープＨ１３００の電極端子Ｈ１３０２と記録素子基板のバンプＨ１１０５との接続部の裏面側と記録素子基板の外周部分を封止し、第２の封止剤Ｈ１３０８は、上述の接続部の表側を封止している。
【００６２】
そして、電気配線テープＨ１３０１の未接着部は折り曲げられ、インク供給保持部材Ｈ１５０１のインク供給口Ｈ１２０１を有する面にほぼ直交した側面に熱カシメもしくは接着等で固定される。
【００６３】
（１−２−４）蓋部材
蓋部材Ｈ１９０１は、インク供給保持部材Ｈ１５０１の上部開口部に溶着されることで、インク供給保持部材Ｈ１５０１内部の独立した空間をそれぞれ閉塞するものである。但し、蓋部材Ｈ１９０１にはインク供給保持部材Ｈ１５０１内部の各部屋の圧力変動を逃がすための細口Ｈ１９１１、Ｈ１９１２、Ｈ１９１３と、それぞれに連通した微細溝Ｈ１９２１、Ｈ１９２２、Ｈ１９２３を有している。微細溝Ｈ１９２１およびＨ１９２２の他端は微細溝Ｈ１９２３の途中に合流している。さらに、細口Ｈ１９１１、Ｈ１９１２、Ｈ１９１３と微細溝Ｈ１９２１、Ｈ１９２２、および微細溝Ｈ１９２３のほとんどをシール部材Ｈ１８０１で覆い、微細溝Ｈ１９２３の他端部を開口することで大気連通口Ｈ１９２５を形成している。また、第２の記録ヘッドをインクジェット記録装置に固定するための係合部Ｈ１９３０を有している。
【００６４】
（１−３）記録ヘッドのインクジェット記録装置への装着
図３及び図６に示したように、第１の記録ヘッドＨ１０００及び第２の記録ヘッドＨ１００１には、インクジェット記録装置本体のキャリッジの装着位置に案内するための装着ガイドＨ１５６０、ヘッドセットレバーによりキャリッジに装着固定するための係合部Ｈ１９３０、およびキャリッジの所定の装着位置に位置決めするためのＸ方向（キャリッジスキャン方向）の突き当て部Ｈ１５７０、Ｙ方向（記録メディア搬送方向）の突き当て部Ｈ１５８０、Ｚ方向（インク吐出方向）の突き当て部Ｈ１５９０を備えている。上記突き当て部により位置決めされることで、電気配線テープＨ１３００およびＨ１３０１上の外部信号入力端子Ｈ１３０２がキャリッジ内に設けられた電気接続部のコンタクトピンと正確に電気的接触を行う。
【００６５】
（２）インクジェット記録装置
次に、上述したようなカートリッジタイプの記録ヘッドを搭載可能な液体吐出記録装置について説明する。
【００６６】
図１０は、本発明の液体吐出記録ヘッドを搭載可能な記録装置の一例を示す説明図である。
【００６７】
図１０に示す記録装置において、図３および図６に示した記録ヘッドＨ１０００およびＨ１００１がキャリッジ１１０２に位置決めして交換可能に搭載されており、キャリッジ１１０２には、記録ヘッドＨ１０００およびＨ１００１上の外部信号入力端子を介して各吐出部に駆動信号等を伝達するための電気接続部が設けられている。
【００６８】
キャリッジ１１０２は、主走査方向に延在して装置本体に設置されたガイドシャフト１１０３に沿って往復移動可能に案内支持されている。そして、キャリッジ１１０２は主走査モータ１１０４によりモータプーリ１１０５、従動プーリ１１０６およびタイミングベルト１１０７等の駆動機構を介して駆動されるとともにその位置および移動が制御される。
【００６９】
また、ホームポジションセンサ１３０がキャリッジ１１０２に設けられている。これにより遮蔽板１３６の位置をキャリッジ１１０２上のホームポジションセンサ１３０が通過した際に位置を知ることが可能となる。
【００７０】
印刷用紙やプラスチック薄板等の被記録媒体１１０８は給紙モータ１３５からギアを介してピックアップローラ１３１を回転させることによりオートシートフィーダ（ＡＳＦ）１３２から一枚ずつ分離給紙される。更に搬送ローラ１１０９の回転により、記録ヘッドＨ１０００及びＨ１００１の吐出口面と対向する位置（プリント部）を通って搬送（副走査）される。搬送ローラ１１０９はＬＦモータ１３４の回転によりギアを介して行われる。その際、給紙されたかどうかの判定と給紙時の頭出し位置の確定は、ペーパエンドセンサ１３３を被記録媒体１１０８が通過した時点で行われる。さらに、被記録媒体１１０８の後端が実際にどこに有り、実際の後端から現在の記録位置を最終的に割り出すためにもペーパエンドセンサ１３３は使用されている。
【００７１】
なお、被記録媒体１１０８は、プリント部において平坦なプリント面を形成するように、その裏面をプラテン（不図示）により支持されている。この場合、キャリッジ１１０２に搭載された記録ヘッドＨ１０００及びＨ１００１は、それらの吐出口面がキャリッジ１１０２から下方へ突出して前記２組の搬送ローラ対の間で被記録媒体１１０８と平行になるように保持されている。
【００７２】
記録ヘッドＨ１０００およびＨ１００１は、各吐出部における吐出口の並び方向が上述したキャリッジ１１０２の走査方向に対して交差する方向になるようにキャリッジ１１０２に搭載され、これらの吐出口列から液体を吐出して記録を行う。
【００７３】
また、記録ヘッドＨ１００１と全く同じ構成で、内部のインクがライトマゼンタ、ライトシアン、ブラックで構成された記録ヘッドを記録ヘッドＨ１０００と交換して使うことで高画質フォトプリンタとして使用することも可能である。
【００７４】
（第１の実施形態）
図１（ａ）に本発明における第１の実施形態のインクジェット記録ヘッドカートリッジの断面図を示す。
【００７５】
本実施形態のインクジェット記録ヘッドカートリッジは、フィルタ１０３によって記録液体吸収部材１０２を有する部分と、記録ヘッドＨ１０００に連通する共通液室１０４とに分割されているタンク容器１０１と、インクの消費に伴って大気をタンク容器１０１内に導入するための大気連通口１０５を保持し、かつ、タンク容器１０１内にエアバッファ室を形成するためのリブ１０６とで構成されている。
【００７６】
タンク容器１０１内および共通液室１０４内には、それぞれ重力方向ｇと交差する方向に配置されている仕切り壁１０７ａ、１０７ｂが形成されている。この仕切り壁１０７ａによって記録液体吸収部材１０２は、第１の記録液体吸収部材１０２ａおよび第２の記録液体吸収部材１０２ｂに、また、記録液体吸収部材１０２を収納している記録液体吸収部材収納室１１０は、第１の収納室１１０ａおよび第２の収納室１１０ｂに、それぞれ実質的に上下２つに分割された構成となっているが、この仕切り壁１０７ａは、記録液体吸収部材収納室１１０を完全に分断するものではなく、連通部１０８ａを介して、上下の第１の収納室１１０ａおよび第２の収納室１１０ｂが連通している。
【００７７】
同様に、仕切り壁１０７ｂによって共通液室１０４は、第１の共通液室１０４ａおよび第２の共通液室１０４ｂにそれぞれ実質的に上下２つに分割された構成となっているが、この仕切り壁１０７ｂは、共通液室１０４を完全に分断するものではなく、連通部１０８ｂを介して、上下の第１の共通液室１０４ａおよび第２の共通液室１０４ｂが連通している。連通部１０８ａ、１０８ｂを構成する開口はわずかであることが好ましい。
【００７８】
図１（ｂ）は図１（ａ）に示すインクタンクの記録液体吸収部材１０２に、顔料インクを含浸させて、長期放置後の顔料インクの沈降物の堆積の様子を模式的に示している。実際には堆積物が明確に区分されるものではなく、連続的な濃度勾配であることは言うまでもない。
【００７９】
図１（ｂ）からわかるとおり、上下の第１の収納室１１０ａおよび第２の収納室１１０ｂに含浸された顔料インクは連通部１０８ａにより連通しているため、第１の記録液体吸収部材１０２ａに含浸されたインクも記録ヘッドに供給される。
【００８０】
ところで、インクタンク内に顔料インクが収納された場合、インクタンクが同一姿勢で長期間放置されると顔料インクは分子量の大きな顔料が底部に沈降してきて、底部へいくほど顔料濃度が高くなることは上述した通りであり、図１１に示した従来例では、上部と底部のインクの顔料濃度の差は非常に大きくなっている。
【００８１】
これに対して、図１（ｂ）に示す本実施形態でのインクタンク内では、仕切り壁１０７ａにより、記録液体吸収部材１０２が第１の記録液体吸収部材１０２ａおよび第２の記録液体吸収部材１０２ｂの上下に分割されることで第１および第２の記録液体吸収部材１０２ａ、１０２ｂの高さｈ１、ｈ２は、それぞれ記録液体吸収部材収納室１１０の高さｈの約半分となっている。
【００８２】
このように記録液体吸収部材１０２の高さが半分になれば、記録液体吸収部材１０２における顔料が沈降する方向のインクの水頭が半分になり、各記録液体吸収部材内の上下間および共通液室の上下間の顔料濃度差を小さくすることができる。同様に、共通液室内では、仕切り壁１０７ｂにより、共通液室１０４が第１の共通液室１０４ａおよび第２の共通液室１０４ｂの上下に分割されることで第１および第２の共通液室１０４ａ、１０４ｂそれぞれに含まれる顔料の量は分割されない場合に比べて半減する。
【００８３】
また、仕切り壁の表面にギザをつけたり、先端を厚くすることで、いったん沈降した顔料をその場に留め置くことができる。
【００８４】
さらに、共通液室内における仕切り壁１０７ｂの片面だけでなく、両表面にギザをつけることによって、図１（ｃ）に概念図として示すように記録ヘッドを上向きに安定姿勢を保っても、共通液室内の顔料インクがフィルタに詰まることが抑えられる。
【００８５】
これにより、インクタンクが長期間放置された後においても、フィルタ１０３や記録ヘッドＨ１０００に顔料沈降物が堆積して目詰まりを起こすようなことが無い。また、インクを使用しても、使い始めと使い終わりで顔料濃度差の小さい高品位な記録が可能となる。この効果を良好に発揮するためには、仕切り壁１０７が上述したように連通部１０８の開口はわずかであるほうが上述の効果がより期待できる。但し、インクの供給のために移動するインクの流動性を阻害するようなことはない範囲であることは言うまでもない。
【００８６】
なお、本実施形態においては、仕切り壁１０７ａ、１０７ｂは、タンク容器１０１の一部となっているが、これに限る必要はなく、例えば、上下の記録液体吸収部材の間にタンク容器とは独立した板やシート体を挟むことで分割してもよく、さらには記録液体吸収部材として繊錐体を用いた場合には、樹脂製シートを熱溶着したり、繊維体自体を熱加工して表面に膜を構成するようにして仕切り壁１０７を構成することも可能である。
【００８７】
（第２の実施形態）
図２に本発明における第２の実施形態のインクジェット記録ヘッドカートリッジの断面図を示す。
【００８８】
本実施形態のインクジェット記録ヘッドカートリッジは、２つの仕切り壁１０７ａ、１０７ｂを有する構成となっているが、第１の収納室１１０ａと第２の収納室１１０ｂとを連通する第１の連通部１０８ａ１と、第２の収納室１１０ｂと第３の収納室１１０ｃとを連通する第２の連通部１０８ａ２との配置が重力方向ｇと交差する平面に投影した場合、第１の連通部１０８ａ１と第２の連通部１０８ａ２とは重ならない位置に形成されている。
【００８９】
同様に、第１の共通液室１０４ａと第２の共通液室１０４ｂとを連通する第１の連通部１０８ｂ１と、第２の共通液室１０４ｂと第３の共通液室１０４ｃとを連通する第２の連通部１０８ｂ２との配置が重力方向ｇと交差する平面に投影した場合、第１の連通部１０８ｂ１と第２の連通部１０８ｂ２とは重ならない位置に形成されている。
【００９０】
このように、隣り合う２つの仕切り壁１０７ａ１、１０７ａ２に形成された第１の連通部１０８ａ１と第２の連通部１０８ａ２とが上下方向で重ならない位置にすること、および隣り合う２つの仕切り壁１０７ｂ１、１０７ｂ２に形成された第１の連通部１０８ｂ１と第２の連通部１０８ｂ２とが上下方向で重ならない位置にすることで、連通部の部分でも上下隣り合う記録液体吸収部材を足した高さでの顔料の沈降を考えればよいこととなる。
【００９１】
なお、本実施形態は、インクタンクの高さが比較的高い場合に特に有効となる。本実施形態では、仕切り壁が２つで記録液体吸収部材が３つに分割された形態を一例としたが、仕切り壁の数は２つに限ることはなく、これより多くしても問題ない。仕切り壁の数をいくつにするかは、インクタンクの高さ、初期の顔料インクの顔料濃度、要求される記録の品位のレベル、要求されるインクの容積効率（インクタンク内容積に対するインクの容積の割合）などによって設定すればよい。
【図面の簡単な説明】
【００９２】
【図１（ａ）】本発明の第１の実施形態におけるインクタンクの構造を概略的に示す図
【図１（ｂ）】本発明の第１の実施形態におけるインクタンクの構造および記録ヘッド下向き安定姿勢での顔料沈降による堆積物の様子を概略的に示す図
【図１（ｃ）】本発明の第１の実施形態におけるインクタンクの構造および記録ヘッド上向き安定姿勢での顔料沈降による堆積物の様子を概略的に示す図
【図２（ａ）】本発明の第２の実施形態におけるインクタンクの構造および顔料インクの濃度勾配を概略的に示す図
【図２（ｂ）】本発明の第２の実施形態におけるインクタンクの構造および顔料インクの濃度勾配を概略的に示す図
【図３】第１の記録ヘッドを示す図
【図４】第１の記録ヘッドの分解斜視図
【図５】第１の記録素子基板の一部破断がなされた斜視図
【図６】第２の記録ヘッドを示す図
【図７】第２の記録ヘッドの分解斜視図
【図８】第２の記録素子基板の一部破断がなされた斜視図
【図９】記録ヘッドの一部断面図
【図１０】インクジェット記録装置を示す図
【図１１】吸収体を内蔵したインクタンクの一従来例において、顔料インクが沈降した様子を模式的に示す図
【符号の説明】
【００９３】
１０１        タンク容器
１０２        記録液体吸収部材
１０２ａ      第１の記録液体吸収部材
１０２ｂ      第２の記録液体吸収部材
１０２ｃ      第３の記録液体吸収部材
１０３        フィルタ
１０４ａ      第１の共通液室
１０４ｂ      第２の共通液室
１０４ｃ      第３の共通液液室
１０５        大気連通口
１０６        リブ
１０７        仕切り壁
１０７ａ      記録液体吸収部材収納室内の仕切り壁
１０７ｂ      共通液室内の仕切り壁
１０８        連通部
１０８ａ１    記録液体吸収部材収納室内の第１の連通部
１０８ａ２    記録液体吸収部材収納室内の第２の連通部
１０８ｂ１    共通液室内の第１の連通部
１０８ｂ２    共通液室内の第２の連通部
１０９        顔料沈降物
１１０        記録液体吸収部材収納室
１１０ａ      第１の収納室
１１０ｂ      第２の収納室
１３０        ホームポジションセンサ
１３１        ピックアップローラ
１３２        オートシートフィーダ（ＡＳＦ）
１３３        ペーパエンドセンサ
１３４        ＬＦモータ
１３５        給紙モータ
１３６        遮蔽板
１１０２      キャリッジ
１１０３      ガイドシャフト
１１０４      主走査モータ
１１０５      モータプーリ
１１０６      従動プーリ
１１０７      タイミングベルト
１１０８      被記録媒体
１１０９      搬送ローラ
ｇ            重力方向
Ｈ１０００    第１の記録ヘッド
Ｈ１００１    第２の記録ヘッド
Ｈ１１００    第１の記録素子基板
Ｈ１１０１    第２の記録素子基板
Ｈ１１０２    インク供給口
Ｈ１１０３    電気熱変換素子
Ｈ１１０４    電極部
Ｈ１１０５    バンプ
Ｈ１１０６    インク流路壁
Ｈ１１０７    吐出口
Ｈ１１０８    吐出口列
Ｈ１１１０    Ｓｉ基板
Ｈ１２００    第１のインク供給口
Ｈ１２０１    第２のインク供給口
Ｈ１３００    電気配線テープ
Ｈ１３０２    外部信号入力端子
Ｈ１３０３    開口部
Ｈ１３０４    電極端子
Ｈ１３０７    第１の封止剤
Ｈ１３０８    第２の封止剤
Ｈ１５００    第１のインク供給部材
Ｈ１５０１    第２のインク供給部材
Ｈ１５６０    装着ガイド
Ｈ１５７０    Ｘ突き当て部
Ｈ１５８０    Ｙ突き当て部
Ｈ１５９０    Ｚ突き当て部
Ｈ１６００、Ｈ１６０１、Ｈ１６０２、Ｈ１６０３    インク吸収体
Ｈ１７００、Ｈ１７０１、Ｈ１７０２、Ｈ１７０３    フィルタ
Ｈ１８００、Ｈ１８０１    シール部材
Ｈ１９００、Ｈ１９０１    蓋部材
Ｈ１９１０、Ｈ１９１１、Ｈ１９１２、Ｈ１９１３    微細口
Ｈ１９２０、Ｈ１９２１、Ｈ１９２２、Ｈ１９２３    細溝
Ｈ１９２４、Ｈ１９２５    大気連通口
【図２（ａ）】
2007044951.tif 000004
【図２（ｂ）】
2007044951.tif 000005
【図３】
2007044951.tif 000006
【図４】
2007044951.tif 000007
【図５】
2007044951.tif 000008
【図６】
2007044951.tif 000009
【図７】
2007044951.tif 000010
【図８】
2007044951.tif 000011
【図９】
2007044951.tif 000012
【図１０】
2007044951.tif 000013
【図１１】
2007044951.tif 000014
【図１（ａ）】
2007044951.tif 000015
【図１（ｂ）】
2007044951.tif 000016
【図１（ｃ）】
2007044951.tif 000017